【手続補正書】
【提出日】令和2年12月18日(2020.12.18)
【手続補正１】
【補正対象書類名】明細書
【補正対象項目名】０１４３
【補正方法】変更
【補正の内容】
【０１４３】
１３Ｈ１１重鎖（配列番号１７）
［ＱＶＱＬＱＱＳＧＰＥＬＶＫＰＧＡＳＶＫＩＳＣＫＡＳＧＹＡＦＳＴＳＷＭＮＷＶＫＱＲＰＧＱＧＬＥＷＩＧＲＩＹＰＧＤＧＤＴＮＹＮＧＫＦＫＧＫＡＴＬＴＡＤＫＳＳＳＴＡＹＭＱＬＳＳＬＴＳＶＤＳＡＶＹＦＣＡＲＳＮＤＧＹＹＶＧＹＷＧＱＧＴＴＬＴＶＳＳ］ＡＫＴＴＰＰＳＶＹＰＬＡＰＧＳＡＡＱＴＮＳＭＶＴＬＧＣＬＶＫＧＹＦＰＥＰＶＴＶＴＷＮＳＧＳＬＳＳＧＶＨＴＦＰＡＶＬＱＳＤＬＹＴＬＳＳＳＶＴＶＰＳＳＴＷＰＳＥＴＶＴＣＮＶＡＨＰＡＳＳＴＫＶＤＫＫＩＶＰＲＤＣＧＣＫＰＣＩＣＴＶＰＥＶＳＳＶＦＩＦＰＰＫＰＫＤＶＬＴＩＴＬＴＰＫＶＴＣＶＶＶＤＩＳＫＤＤＰＥＶＱＦＳＷＦＶＤＤＶＥＶＨＴＡＱＴＱＰＲＥＥＱＦＮＳＴＦＲＳＶＳＥＬＰＩＭＨＱＤＷＬＮＧＫＥＦＫＣＲＶＮＳＡＡＦＰＡＰＩＥＫＴＩＳＫＴＫＧＲＰＫＡＰＱＶＹＴＩＰＰＰＫＥＱＭＡＫＤＫＶＳＬＴＣＭＩＴＤＦＦＰＥＤＩＴＶＥＷＱＷＮＧＱＰＡＥＮＹＫＮＴＱＰＩＭＤＴＤＧＳＹＦＶＹＳＫＬＮＶＱＫＳＮＷＥＡＧＮＴＦＴＣＳＶＬＨＥＧＬＨＮＨＨＴＥＫＳＬＳＨＳＰＧＫ
【手続補正２】
【補正対象書類名】明細書
【補正対象項目名】０１４４
【補正方法】変更
【補正の内容】
【０１４４】
３Ｄ１１重鎖（配列番号１９）
［ＱＶＱＬＱＱＳＧＡＥＬＡＲＰＧＡＳＶＫＬＳＣＫＡＳＧＹＴＦＴＳＹＷＭＱＷＶＫＱＲＰＧＱＧＬＥＷＩＧＡＩＹＰＧＤＧＤＴＲＹＴＱＫＦＫＧＫＡＴＬＴＡＤＫＳＳＳＴＡＹＭＱＬＳＳＬＡＳＥＤＳＡＶＹＹＣＡＲＳＹＤＰＦＤＹＷＧＱＧＴＴＬＴＶＳＳ］ＡＫＴＴＡＰＳＶＹＰＬＡＰＶＣＧＤＴＴＧＳＳＶＴＬＧＣＬＶＫＧＹＦＰＥＰＶＴＬＴＷＮＳＧＳＬＳＳＧＶＨＴＦＰＡＶＬＱＳＤＬＹＴＬＳＳＳＶＴＶＴＳＳＴＷＰＳＱＳＩＴＣＮＶＡＨＰＡＳＳＴＫＶＤＫＫＩＥＰＲＧＰＴＩＫＰＣＰＰＣＫＣＰＡＰＮＬＬＧＧＰＳＶＦＩＦＰＰＫＩＫＤＶＬＭＩＳＬＳＰＩＶＴＣＶＶＶＤＶＳＥＤＤＰＤＶＱＩＳＷＦＶＮＮＶＥＶＨＴＡＱＴＱＴＨＲＥＤＹＮＳＴＬＲＶＶＳＡＬＰＩＱＨＱＤＷＭＳＧＫＥＦＫＣＫＶＮＮＫＤＬＰＡＰＩＥＲＴＩＳＫＰＫＧＳＶＲＡＰＱＶＹＶＬＰＰＰＥＥＥＭＴＫＫＱＶＴＬＴＣＭＶＴＤＦＭＰＥＤＩＹＶＥＷＴＮＮＧＫＴＥＬＮＹＫＮＴＥＰＶＬＤＳＤＧＳＹＦＭＹＳＫＬＲＶＥＫＫＮＷＶＥＲＮＳＹＳＣＳＶＶＨＥＧＬＨＮＨＨＴＴＫＳＦＳＲＴＰＧＫ
【手続補正３】
【補正対象書類名】明細書
【補正対象項目名】０１４５
【補正方法】変更
【補正の内容】
【０１４５】
１５Ｂ２重鎖（配列番号２０）
［ＱＶＱＬＱＱＳＧＡＥＬＶＫＰＧＡＳＶＫＬＳＣＫＡＳＧＹＴＦＴＳＹＹＭＹＷＶＫＱＲＰＧＱＧＬＥＷＩＧＥＩＮＰＳＮＧＧＴＮＦＮＥＫＦＫＮＫＡＴＬＴＶＤＫＳＳＮＴＡＹＭＱＬＮＳＬＴＳＥＤＳＡＶＹＹＣＴＲＧＹＹＧＮＰＦＦＡＹＷＧＱＧＴＬＶＴＶＳＡ］ＡＫＴＴＰＰＳＶＹＰＬＡＰＧＣＧＤＴＴＧＳＳＶＴＬＧＣＬＶＫＧＹＦＰＥＳＶＴＶＴＷＮＳＧＳＬＳＳＳＶＨＴＦＰＡＬＬＱＳＧＬＹＴＭＳＳＳＶＴＶＰＳＳＴＷＰＳＱＴＶＴＣＳＶＡＨＰＡＳＳＴＴＶＤＫＫＬＥＰＳＧＰＩＳＴＩＮＰＣＰＰＣＫＥＣＨＫＣＰＡＰＮＬＥＧＧＰＳＶＦＩＦＰＰＮＩＫＤＶＬＭＩＳＬＴＰＫＶＴＣＶＶＶＤＶＳＥＤＤＰＤＶＱＩＳＷＦＶＮＮＶＥＶＨＴＡＱＴＱＴＨＲＥＤＹＮＳＴＩＲＶＶＳＴＬＰＩＱＨＱＤＷＭＳＧＫＥＦＫＣＫＶＮＮＫＤＬＰＳＰＩＥＲＴＩＳＫＩＫＧＬＶＲＡＰＱＶＹＩＬＰＰＰＡＥＱＬＳＲＫＤＶＳＬＴＣＬＶＶＧＦＮＰＧＤＩＳＶＥＷＴＳＮＧＨＴＥＥＮＹＫＤＴＡＰＶＬＤＳＤＧＳＹＦＩＹＳＫＬＮＭＫＴＳＫＷＥＫＴＤＳＦＳＣＮＶＲＨＥＧＬＫＮＹＹＬＫＫＴＩＳＲＳＰＧＫ
【手続補正４】
【補正対象書類名】明細書
【補正対象項目名】０１４６
【補正方法】変更
【補正の内容】
【０１４６】
１３Ｈ１１、３Ｄ１１、および１５Ｂ２軽鎖（配列番号１８）
［ＮＩＶＭＴＱＳＰＫＳＭＳＭＳＶＧＥＲＶＴＬＴＣＫＡＳＥＮＶＶＴＹＶＳＷＹＱＱＫＰＥＱＳＰＫＬＬＩＹＧＡＳＮＲＹＴＧＶＰＤＲＦＴＧＳＧＳＡＴＤＦＴＬＴＩＳＳＶＱＡＥＤＬＡＤＹＨＣＧＱＧＹＳＹＰＹＴＦＧＧＧＴＫＬＥＩ］ＫＲＡＤＡＡＰＴＶＳＩＦＰＰＳＳＥＱＬＴＳＧＧＡＳＶＶＣＦＬＮＮＦＹＰＫＤＩＮＶＫＷＫＩＤＧＳＥＲＱＮＧＶＬＮＳＷＴＤＱＤＳＫＤＳＴＹＳＭＳＳＴＬＴＬＴＫＤＥＹＥＲＨＮＳＹＴＣＥＡＴＨＫＴＳＴＳＰＩＶＫＳＦＮＲＮＥＣ
【手続補正５】
【補正対象書類名】明細書
【補正対象項目名】０１５０
【補正方法】変更
【補正の内容】
【０１５０】
ＣＫ−（ｄ）重鎖（配列番号２９）
［ＥＳＧＧＧＬＶＫＬＧＧＳＬＫＬＳＣＡＡＳＧＦＴＦＳＴＹＹＭＳＷＶＲＱＴＰＥＫＲＬＥＬＶＡＡＩＮＳＮＧＧＳＴＹＹＰＤＴＶＫＧＲＦＴＩＳＲＤＮＡＫＮＴＬＹＬＱＭＳＳＬＫＳＥＤＴＡＬＹＹＣＡＲＨＥＬＶＧＧＷＦＶＹＷＧＱＧＴＬＶＴＶＳＡ］ＡＫＴＴＰＰＳＶＹＰＬＡＰＧＳＡＡＱＴＮＳＭＶＴＬＧＣＬＶＫＧＹＦＰＥＰＶＴＶＴＷＮＳＧＳＬＳＳＧＶＨＴＦＰＡＶＬＱＳＤＬＹＴＬＳＳＳＶＴＶＰＳＳＴＷＰＳＥＴＶＴＣＮＶＡＨＰＡＳＳＴＫＶＤＫＫＩＶＰＲＤＣＧＣＫＰＣＩＣＴＶＰＥＶＳＳＶＦＩＦＰＰＫＰＫＤＶＬＴＩＴＬＴＰＫＶＴＣＶＶＶＤＩＳＫＤＤＰＥＶＱＦＳＷＦＶＤＤＶＥＶＨＴＡＱＴＱＰＲＥＥＱＦＮＳＴＦＲＳＶＳＥＬＰＩＭＨＱＤＷＬＮＧＫＥＦＫＣＲＶＮＳＡＡＦＰＡＰＩＥＫＴＩＳＫＴＫＧＲＰＫＡＰＱＶＹＴＩＰＰＰＫＥＱＭＡＫＤＫＶＳＬＴＣＭＩＴＤＦＦＰＥＤＩＴＶＥＷＱＷＮＧＱＰＡＥＮＹＫＮＴＱＰＩＭＤＴＤＧＳＹＦＶＹＳＫＬＮＶＱＫＳＮＷＥＡＧＮＴＦＴＣＳＶＬＨＥＧＬＨＮＨＨＴＥＫＳＬＳＨＳＰＧＫ
【手続補正６】
【補正対象書類名】明細書
【補正対象項目名】０１５１
【補正方法】変更
【補正の内容】
【０１５１】
ＣＫ−（ｅ）重鎖（配列番号３０）
［ＱＶＱＬＱＱＳＧＡＥＬＶＲＰＧＴＳＶＫＭＳＣＫＡＡＧＹＴＦＴＮＹＷＩＧＷＩＫＱＲＰＧＨＧＬＥＷＩＧＤＶＹＰＧＧＧＳＴＹＹＮＥＫＦＫＡＫＡＴＬＴＡＤＴＳＳＳＴＡＹＭＱＬＳＲＬＴＳＥＤＳＡＩＹＹＣＳＲＶＴＳＴＴＧＷＹＦＤＶＷＧＡＧＴＴＶＴＶＳＳ］ＡＫＴＴＡＰＳＶＹＰＬＡＰＶＣＧＤＴＴＧＳＳＶＴＬＧＣＬＶＫＧＹＦＰＥＰＶＴＬＴＷＮＳＧＳＬＳＳＧＶＨＴＦＰＡＶＬＱＳＤＬＹＴＬＳＳＳＶＴＶＴＳＳＴＷＰＳＱＳＩＴＣＮＶＡＨＰＡＳＳＴＫＶＤＫＫＩＥＰＲＧＰＴＩＫＰＣＰＰＣＫＣＰＡＰＮＬＬＧＧＰＳＶＦＩＦＰＰＫＩＫＤＶＬＭＩＳＬＳＰＩＶＴＣＶＶＶＤＶＳＥＤＤＰＤＶＱＩＳＷＦＶＮＮＶＥＶＨＴＡＱＴＱＴＨＲＥＤＹＮＳＴＬＲＶＶＳＡＬＰＩＱＨＱＤＷＭＳＧＫＥＦＫＣＫＶＮＮＫＤＬＰＡＰＩＥＲＴＩＳＫＰＫＧＳＶＲＡＰＱＶＹＶＬＰＰＰＥＥＥＭＴＫＫＱＶＴＬＴＣＭＶＴＤＦＭＰＥＤＩＹＶＥＷＴＮＮＧＫＴＥＬＮＹＫＮＴＥＰＶＬＤＳＤＧＳＹＦＭＹＳＫＬＲＶＥＫＫＮＷＶＥＲＮＳＹＳＣＳＶＶＨＥＧＬＨＮＨＨＴＴＫＳＦＳＲＴＰＧＫ
【手続補正７】
【補正対象書類名】明細書
【補正対象項目名】００１１
【補正方法】変更
【補正の内容】
【００１１】
したがって、本発明は以下の通りである。
１．試料添加部、標識物質保持部、検出部を有するクロマトグラフ媒体部及び吸収部を含む、チクングニアウイルスを検出するための免疫クロマト分析装置であって、
前記標識物質保持部は、下記（Ａ）の抗体またはその抗原結合断片を含有し、
前記検出部は、下記（Ｂ）の抗体またはその抗原結合断片、及び下記（Ｃ）の抗体またはその抗原結合断片を含有する、
免疫クロマト分析装置。
（Ａ）下記（１）の重鎖可変領域と下記（２）の軽鎖可変領域とを含む、チクングニアウイルスに対する抗体
（１）重鎖相補性決定領域（ＣＤＲＨ）１、ＣＤＲＨ２、およびＣＤＲＨ３を含み、
ＣＤＲＨ１が、下記（Ｈ１−Ａ）のアミノ酸配列を含むポリペプチドであり、
ＣＤＲＨ２が、下記（Ｈ２−Ａ）のアミノ酸配列を含むポリペプチドであり、
ＣＤＲＨ３が、下記（Ｈ３−Ａ）のアミノ酸配列を含むポリペプチドである重鎖可変領域
（Ｈ１−Ａ）下記（Ｈ１−Ａ１）、（Ｈ１−Ａ２）または（Ｈ１−Ａ３）のアミノ酸配列
（Ｈ１−Ａ１）配列番号１のアミノ酸配列
（Ｈ１−Ａ２）配列番号１のアミノ酸配列に対して、８０％以上の同一性を有するアミノ酸配列
（Ｈ１−Ａ３）配列番号１のアミノ酸配列において、１個または数個のアミノ酸が欠失、置換、挿入および／または付加されたアミノ酸配列
（Ｈ２−Ａ）下記（Ｈ２−Ａ１）、（Ｈ２−Ａ２）または（Ｈ２−Ａ３）のアミノ酸配列
（Ｈ２−Ａ１）配列番号２のアミノ酸配列
（Ｈ２−Ａ２）配列番号２のアミノ酸配列に対して、８０％以上の同一性を有するアミノ酸配列
（Ｈ２−Ａ３）配列番号２のアミノ酸配列において、１個または数個のアミノ酸が欠失、置換、挿入および／または付加されたアミノ酸配列
（Ｈ３−Ａ）下記（Ｈ３−Ａ１）、（Ｈ３−Ａ２）または（Ｈ３−Ａ３）のアミノ酸配列
（Ｈ３−Ａ１）配列番号３のアミノ酸配列
（Ｈ３−Ａ２）配列番号３のアミノ酸配列に対して、８０％以上の同一性を有するアミノ酸配列
（Ｈ３−Ａ３）配列番号３のアミノ酸配列において、１個または数個のアミノ酸が欠失、置換、挿入および／または付加されたアミノ酸配列
（２）軽鎖相補性決定領域（ＣＤＲＬ）１、ＣＤＲＬ２、およびＣＤＲＬ３を含み、
ＣＤＲＬ１が、下記（Ｌ１−Ａ）のアミノ酸配列を含むポリペプチドであり、
ＣＤＲＬ２が、下記（Ｌ２−Ａ）のアミノ酸配列を含むポリペプチドであり、
ＣＤＲＬ３が、下記（Ｌ３−Ａ）のアミノ酸配列を含むポリペプチドである軽鎖可変領域
（Ｌ１−Ａ）下記（Ｌ１−Ａ１）、（Ｌ１−Ａ２）または（Ｌ１−Ａ３）のアミノ酸配列
（Ｌ１−Ａ１）配列番号４のアミノ酸配列
（Ｌ１−Ａ２）配列番号４のアミノ酸配列に対して、８０％以上の同一性を有するアミノ酸配列
（Ｌ１−Ａ３）配列番号４のアミノ酸配列において、１個または数個のアミノ酸が欠失、置換、挿入および／または付加されたアミノ酸配列
（Ｌ２−Ａ）下記（Ｌ２−Ａ１）、（Ｌ２−Ａ２）または（Ｌ２−Ａ３）のアミノ酸配列
（Ｌ２−Ａ１）配列番号５のアミノ酸配列
（Ｌ２−Ａ２）配列番号５のアミノ酸配列に対して、８０％以上の同一性を有するアミノ酸配列
（Ｌ２−Ａ３）配列番号５のアミノ酸配列において、１個または数個のアミノ酸が欠失、置換、挿入および／または付加されたアミノ酸配列
（Ｌ３−Ａ）下記（Ｌ３−Ａ１）、（Ｌ３−Ａ２）または（Ｌ３−Ａ３）のアミノ酸配列
（Ｌ３−Ａ１）配列番号６のアミノ酸配列
（Ｌ３−Ａ２）配列番号６のアミノ酸配列に対して、８０％以上の同一性を有するアミノ酸配列
（Ｌ３−Ａ３）配列番号６のアミノ酸配列において、１個または数個のアミノ酸が欠失、置換、挿入および／または付加されたアミノ酸配列
（Ｂ）下記（３）の重鎖可変領域と上記（２）の軽鎖可変領域とを含む、チクングニアウイルスに対する抗体
（３）重鎖相補性決定領域（ＣＤＲＨ）１、ＣＤＲＨ２、およびＣＤＲＨ３を含み、
ＣＤＲＨ１が、下記（Ｈ１−Ｂ）のアミノ酸配列を含むポリペプチドであり、
ＣＤＲＨ２が、下記（Ｈ２−Ｂ）のアミノ酸配列を含むポリペプチドであり、
ＣＤＲＨ３が、下記（Ｈ３−Ｂ）のアミノ酸配列を含むポリペプチドである重鎖可変領域
（Ｈ１−Ｂ）下記（Ｈ１−Ｂ１）、（Ｈ１−Ｂ２）または（Ｈ１−Ｂ３）のアミノ酸配列
（Ｈ１−Ｂ１）配列番号７のアミノ酸配列
（Ｈ１−Ｂ２）配列番号７のアミノ酸配列に対して、８０％以上の同一性を有するアミノ酸配列
（Ｈ１−Ｂ３）配列番号７のアミノ酸配列において、１個または数個のアミノ酸が欠失、置換、挿入および／または付加されたアミノ酸配列
（Ｈ２−Ｂ）下記（Ｈ２−Ｂ１）、（Ｈ２−Ｂ２）または（Ｈ２−Ｂ３）のアミノ酸配列
（Ｈ２−Ｂ１）配列番号８のアミノ酸配列
（Ｈ２−Ｂ２）配列番号８のアミノ酸配列に対して、８０％以上の同一性を有するアミノ酸配列
（Ｈ２−Ｂ３）配列番号８のアミノ酸配列において、１個または数個のアミノ酸が欠失、置換、挿入および／または付加されたアミノ酸配列
（Ｈ３−Ｂ）下記（Ｈ３−Ｂ１）、（Ｈ３−Ｂ２）または（Ｈ３−Ｂ３）のアミノ酸配列
（Ｈ３−Ｂ１）配列番号９のアミノ酸配列
（Ｈ３−Ｂ２）配列番号９のアミノ酸配列に対して、８０％以上の同一性を有するアミノ酸配列
（Ｈ３−Ｂ３）配列番号９のアミノ酸配列において、１個または数個のアミノ酸が欠失、置換、挿入および／または付加されたアミノ酸配列
（Ｃ）下記（４）の重鎖可変領域と上記（２）の軽鎖可変領域とを含む、チクングニアウイルスに対する抗体
（４）ＣＤＲＨ１、ＣＤＲＨ２、およびＣＤＲＨ３を含み、
ＣＤＲＨ１が、下記（Ｈ１−Ｃ）のアミノ酸配列を含むポリペプチドであり、
ＣＤＲＨ２が、下記（Ｈ２−Ｃ）のアミノ酸配列を含むポリペプチドであり、
ＣＤＲＨ３が、下記（Ｈ３−Ｃ）のアミノ酸配列を含むポリペプチドである重鎖可変領域
（Ｈ１−Ｃ）下記（Ｈ１−Ｃ１）、（Ｈ１−Ｃ２）または（Ｈ１−Ｃ３）のアミノ酸
配列
（Ｈ１−Ｃ１）配列番号１０のアミノ酸配列
（Ｈ１−Ｃ２）配列番号１０のアミノ酸配列に対して、８０％以上の同一性を有するアミノ酸配列
（Ｈ１−Ｃ３）配列番号１０のアミノ酸配列において、１個または数個のアミノ酸が欠失、置換、挿入および／または付加されたアミノ酸配列
（Ｈ２−Ｃ）下記（Ｈ２−Ｃ１）、（Ｈ２−Ｃ２）または（Ｈ２−Ｃ３）のアミノ酸配列
（Ｈ２−Ｃ１）配列番号１１のアミノ酸配列
（Ｈ２−Ｃ２）配列番号１１のアミノ酸配列に対して、８０％以上の同一性を有するアミノ酸配列
（Ｈ２−Ｃ３）配列番号１１のアミノ酸配列において、１個または数個のアミノ酸が欠失、置換、挿入および／または付加されたアミノ酸配列
（Ｈ３−Ｃ）下記（Ｈ３−Ｃ１）、（Ｈ３−Ｃ２）または（Ｈ３−Ｃ３）のアミノ酸配列
（Ｈ３−Ｃ１）配列番号１２のアミノ酸配列
（Ｈ３−Ｃ２）配列番号１２のアミノ酸配列に対して、８０％以上の同一性を有するアミノ酸配列
（Ｈ３−Ｃ３）配列番号１２のアミノ酸配列において、１個または数個のアミノ酸が欠失、置換、挿入および／または付加されたアミノ酸配列
２．試料添加部、標識物質保持部、検出部を有するクロマトグラフ媒体部及び吸収部を含む、チクングニアウイルスを検出するための免疫クロマト分析装置であって、
前記標識物質保持部は、下記（Ａ）の抗体またはその抗原結合断片を含有し、
前記検出部は、下記（Ｂ）の抗体またはその抗原結合断片、及び下記（Ｃ）の抗体またはその抗原結合断片を含有する、
免疫クロマト分析装置。
（Ａ）下記（１）の重鎖可変領域と下記（２）の軽鎖可変領域とを含む、チクングニアウイルスに対する抗体
（１）下記（Ｈ−Ａ）のアミノ酸配列からなるポリペプチドを含む重鎖可変領域
（Ｈ−Ａ）下記（Ｈ−Ａ１）、（Ｈ−Ａ２）または（Ｈ−Ａ３）のアミノ酸配列
（Ｈ−Ａ１）配列番号１３のアミノ酸配列
（Ｈ−Ａ２）配列番号１３のアミノ酸配列に対して、８０％以上の同一性を有するアミノ酸配列
（Ｈ−Ａ３）配列番号１３のアミノ酸配列において、１個または数個のアミノ酸が欠失、置換、挿入および／または付加されたアミノ酸配列
（２）下記（Ｌ−Ａ）のアミノ酸配列からなるポリペプチドを含む軽鎖可変領域
（Ｌ−Ａ）下記（Ｌ−Ａ１）、（Ｌ−Ａ２）または（Ｌ−Ａ３）のアミノ酸配列
（Ｌ−Ａ１）配列番号１４のアミノ酸配列
（Ｌ−Ａ２）配列番号１４のアミノ酸配列に対して、８０％以上の同一性を有するアミノ酸配列
（Ｌ−Ａ３）配列番号１４のアミノ酸配列において、１個または数個のアミノ酸が欠失、置換、挿入および／または付加されたアミノ酸配列
（Ｂ）下記（３）の重鎖可変領域と上記（２）の軽鎖可変領域とを含む、チクングニアウイルスに対する抗体
（３）下記（Ｈ−Ｂ）のアミノ酸配列からなるポリペプチドを含む重鎖可変領域
（Ｈ−Ｂ）下記（Ｈ−Ｂ１）、（Ｈ−Ｂ２）または（Ｈ−Ｂ３）のアミノ酸配列
（Ｈ−Ｂ１）配列番号１５のアミノ酸配列
（Ｈ−Ｂ２）配列番号１５のアミノ酸配列に対して、８０％以上の同一性を有するアミノ酸配列
（Ｈ−Ｂ３）配列番号１５のアミノ酸配列において、１個または数個のアミノ酸が欠
失、置換、挿入および／または付加されたアミノ酸配列
（Ｃ）下記（４）の重鎖可変領域と上記（２）の軽鎖可変領域とを含む、チクングニアウイルスに対する抗体
（４）下記（Ｈ−Ｃ）のアミノ酸配列からなるポリペプチドを含む重鎖可変領域
（Ｈ−Ｃ）下記（Ｈ−Ｃ１）、（Ｈ−Ｃ２）または（Ｈ−Ｃ３）のアミノ酸配列
（Ｈ−Ｃ１）配列番号１６のアミノ酸配列
（Ｈ−Ｃ２）配列番号１６のアミノ酸配列に対して、８０％以上の同一性を有するアミノ酸配列
（Ｈ−Ｃ３）配列番号１６のアミノ酸配列において、１個または数個のアミノ酸が欠失、置換、挿入および／または付加されたアミノ酸配列
３．試料添加部、標識物質保持部、検出部を有するクロマトグラフ媒体部及び吸収部を含む、チクングニアウイルスを検出するための免疫クロマト分析装置であって、
前記標識物質保持部は、下記（Ａ）の抗体またはその抗原結合断片を含有し、
前記検出部は、下記（Ｂ）の抗体またはその抗原結合断片、及び下記（Ｃ）の抗体またはその抗原結合断片を含有する、
免疫クロマト分析装置。
（Ａ）下記（１）の重鎖と下記（２）の軽鎖とを含む、チクングニアウイルスに対する抗体
（１）下記（ＨＡ）のアミノ酸配列からなるポリペプチドを含む重鎖
（ＨＡ）下記（ＨＡ１）、（ＨＡ２）または（ＨＡ３）のアミノ酸配列
（ＨＡ１）配列番号１７のアミノ酸配列
（ＨＡ２）配列番号１７のアミノ酸配列に対して、８０％以上の同一性を有するアミノ酸配列
（ＨＡ３）配列番号１７のアミノ酸配列において、１個または数個のアミノ酸が欠失、置換、挿入および／または付加されたアミノ酸配列
（２）下記（ＬＡ）のアミノ酸配列からなるポリペプチドを含む軽鎖
（ＬＡ）下記（ＬＡ１）、（ＬＡ２）または（ＬＡ３）のアミノ酸配列
（ＬＡ１）配列番号１８のアミノ酸配列
（ＬＡ２）配列番号１８のアミノ酸配列に対して、８０％以上の同一性を有するアミノ酸配列
（ＬＡ３）配列番号１８のアミノ酸配列において、１個または数個のアミノ酸が欠失、置換、挿入および／または付加されたアミノ酸配列
（Ｂ）下記（３）の重鎖と上記（２）の軽鎖とを含む、チクングニアウイルスに対する抗体
（３）下記（ＨＢ）のアミノ酸配列からなるポリペプチドを含む重鎖
（ＨＢ）下記（ＨＢ１）、（ＨＢ２）または（ＨＢ３）のアミノ酸配列
（ＨＢ１）配列番号１９のアミノ酸配列
（ＨＢ２）配列番号１９のアミノ酸配列に対して、８０％以上の同一性を有するアミノ酸配列
（ＨＢ３）配列番号１９のアミノ酸配列において、１個または数個のアミノ酸が欠失、置換、挿入および／または付加されたアミノ酸配列
（Ｃ）下記（４）の重鎖と上記（２）の軽鎖とを含む、チクングニアウイルスに対する抗体
（４）下記（ＨＣ）のアミノ酸配列からなるポリペプチドを含む重鎖
（ＨＣ）下記（ＨＣ１）、（ＨＣ２）または（ＨＣ３）のアミノ酸配列
（ＨＣ１）配列番号２０のアミノ酸配列
（ＨＣ２）配列番号２０のアミノ酸配列に対して、８０％以上の同一性を有するアミノ酸配列
（ＨＣ３）配列番号２０のアミノ酸配列において、１個または数個のアミノ酸が欠失、置換、挿入および／または付加されたアミノ酸配列
４．チクングニアウイルスのうち、チクングニアウイルスのエンベロープ糖タンパク質を検出するための、前記１〜３のいずれか１に記載の免疫クロマト分析装置。
５．前記チクングニアウイルスのエンベロープ糖タンパク質が、チクングニアウイルスのＥ１タンパク質である、前記４に記載の免疫クロマト分析装置。
６．前記（Ａ）の抗体またはその抗原結合断片、前記（Ｂ）の抗体またはその抗原結合断片、および、前記（Ｃ）の抗体またはその抗原結合断片が、ＥＣＳＡ型、Ａｓｉａｎ型、及びＷＡ型の少なくともいずれか１の遺伝子型を有するチクングニアウイルスに特異的に結合する、前記１〜５のいずれか１に記載の免疫クロマト分析装置。
７．前記標識物質保持部は、さらに、下記（Ｄ）の抗体またはその抗原結合断片を含有し、
前記検出部は、さらに、下記（Ｅ）の抗体またはその抗原結合断片を含有する、前記１〜６のいずれか１に記載の免疫クロマト分析装置。
（Ｄ）下記（１）の重鎖可変領域と下記（２）の軽鎖可変領域とを含む、チクングニアウイルスに対する抗体
（１）重鎖相補性決定領域（ＣＤＲＨ）１、ＣＤＲＨ２、およびＣＤＲＨ３を含み、
ＣＤＲＨ１が、下記（Ｈ１−Ｄ）のアミノ酸配列を含むポリペプチドであり、
ＣＤＲＨ２が、下記（Ｈ２−Ｄ）のアミノ酸配列を含むポリペプチドであり、
ＣＤＲＨ３が、下記（Ｈ３−Ｄ）のアミノ酸配列を含むポリペプチドである重鎖可変領域
（Ｈ１−Ｄ）下記（Ｈ１−Ｄ１）、（Ｈ１−Ｄ２）または（Ｈ１−Ｄ３）のアミノ酸配列
（Ｈ１−Ｄ１）配列番号２１のアミノ酸配列
（Ｈ１−Ｄ２）配列番号２１のアミノ酸配列に対して、８０％以上の同一性を有するアミノ酸配列
（Ｈ１−Ｄ３）配列番号２１のアミノ酸配列において、１個または数個のアミノ酸が欠失、置換、挿入および／または付加されたアミノ酸配列
（Ｈ２−Ｄ）下記（Ｈ２−Ｄ１）、（Ｈ２−Ｄ２）または（Ｈ２−Ｄ３）のアミノ酸配列
（Ｈ２−Ｄ１）配列番号２２のアミノ酸配列
（Ｈ２−Ｄ２）配列番号２２のアミノ酸配列に対して、８０％以上の同一性を有するアミノ酸配列
（Ｈ２−Ｄ３）配列番号２２のアミノ酸配列において、１個または数個のアミノ酸が欠失、置換、挿入および／または付加されたアミノ酸配列
（Ｈ３−Ｄ）下記（Ｈ３−Ｄ１）、（Ｈ３−Ｄ２）または（Ｈ３−Ｄ３）のアミノ酸配列
（Ｈ３−Ｄ１）配列番号２３のアミノ酸配列
（Ｈ３−Ｄ２）配列番号２３のアミノ酸配列に対して、８０％以上の同一性を有するアミノ酸配列
（Ｈ３−Ｄ３）配列番号２３のアミノ酸配列において、１個または数個のアミノ酸が欠失、置換、挿入および／または付加されたアミノ酸配列
（２）軽鎖相補性決定領域（ＣＤＲＬ）１、ＣＤＲＬ２、およびＣＤＲＬ３を含み、
ＣＤＲＬ１が、下記（Ｌ１−Ａ）のアミノ酸配列を含むポリペプチドであり、
ＣＤＲＬ２が、下記（Ｌ２−Ａ）のアミノ酸配列を含むポリペプチドであり、
ＣＤＲＬ３が、下記（Ｌ３−Ａ）のアミノ酸配列を含むポリペプチドである軽鎖可変領域
（Ｌ１−Ａ）下記（Ｌ１−Ａ１）、（Ｌ１−Ａ２）または（Ｌ１−Ａ３）のアミノ酸配列
（Ｌ１−Ａ１）配列番号４のアミノ酸配列
（Ｌ１−Ａ２）配列番号４のアミノ酸配列に対して、８０％以上の同一性を有するアミノ酸配列
（Ｌ１−Ａ３）配列番号４のアミノ酸配列において、１個または数個のアミノ酸が欠失、置換、挿入および／または付加されたアミノ酸配列
（Ｌ２−Ａ）下記（Ｌ２−Ａ１）、（Ｌ２−Ａ２）または（Ｌ２−Ａ３）のアミノ酸配列
（Ｌ２−Ａ１）配列番号５のアミノ酸配列
（Ｌ２−Ａ２）配列番号５のアミノ酸配列に対して、８０％以上の同一性を有するアミノ酸配列
（Ｌ２−Ａ３）配列番号５のアミノ酸配列において、１個または数個のアミノ酸が欠失、置換、挿入および／または付加されたアミノ酸配列
（Ｌ３−Ａ）下記（Ｌ３−Ａ１）、（Ｌ３−Ａ２）または（Ｌ３−Ａ３）のアミノ酸配列
（Ｌ３−Ａ１）配列番号６のアミノ酸配列
（Ｌ３−Ａ２）配列番号６のアミノ酸配列に対して、８０％以上の同一性を有するアミノ酸配列
（Ｌ３−Ａ３）配列番号６のアミノ酸配列において、１個または数個のアミノ酸が欠失、置換、挿入および／または付加されたアミノ酸配列
（Ｅ）下記（３）の重鎖可変領域と上記（２）の軽鎖可変領域とを含む、チクングニアウイルスに対する抗体
（３）重鎖相補性決定領域（ＣＤＲＨ）１、ＣＤＲＨ２、およびＣＤＲＨ３を含み、
ＣＤＲＨ１が、下記（Ｈ１−Ｅ）のアミノ酸配列を含むポリペプチドであり、
ＣＤＲＨ２が、下記（Ｈ２−Ｅ）のアミノ酸配列を含むポリペプチドであり、
ＣＤＲＨ３が、下記（Ｈ３−Ｅ）のアミノ酸配列を含むポリペプチドである重鎖可変領域
（Ｈ１−Ｅ）下記（Ｈ１−Ｅ１）、（Ｈ１−Ｅ２）または（Ｈ１−Ｅ３）のアミノ酸配列
（Ｈ１−Ｅ１）配列番号２４のアミノ酸配列
（Ｈ１−Ｅ２）配列番号２４のアミノ酸配列に対して、８０％以上の同一性を有するアミノ酸配列
（Ｈ１−Ｅ３）配列番号２４のアミノ酸配列において、１個または数個のアミノ酸が欠失、置換、挿入および／または付加されたアミノ酸配列
（Ｈ２−Ｅ）下記（Ｈ２−Ｅ１）、（Ｈ２−Ｅ２）または（Ｈ２−Ｅ３）のアミノ酸配列
（Ｈ２−Ｅ１）配列番号２５のアミノ酸配列
（Ｈ２−Ｅ２）配列番号２５のアミノ酸配列に対して、８０％以上の同一性を有するアミノ酸配列
（Ｈ２−Ｅ３）配列番号２５のアミノ酸配列において、１個または数個のアミノ酸が欠失、置換、挿入および／または付加されたアミノ酸配列
（Ｈ３−Ｅ）下記（Ｈ３−Ｅ１）、（Ｈ３−Ｅ２）または（Ｈ３−Ｅ３）のアミノ酸配列
（Ｈ３−Ｅ１）配列番号２６のアミノ酸配列
（Ｈ３−Ｅ２）配列番号２６のアミノ酸配列に対して、８０％以上の同一性を有するアミノ酸配列
（Ｈ３−Ｅ３）配列番号２６のアミノ酸配列において、１個または数個のアミノ酸が欠失、置換、挿入および／または付加されたアミノ酸配列
８．前記標識物質保持部は、さらに、下記（Ｄ）の抗体またはその抗原結合断片を含有し、
前記検出部は、さらに、下記（Ｅ）の抗体またはその抗原結合断片を含有する、前記１〜６のいずれか１に記載の免疫クロマト分析装置。
（Ｄ）下記（１）の重鎖可変領域と下記（２）の軽鎖可変領域とを含む、チクングニアウイルスに対する抗体
（１）下記（Ｈ−Ｄ）のアミノ酸配列からなるポリペプチドを含む重鎖可変領域
（Ｈ−Ｄ）下記（Ｈ−Ｄ１）、（Ｈ−Ｄ２）または（Ｈ−Ｄ３）のアミノ酸配列
（Ｈ−Ｄ１）配列番号２７のアミノ酸配列
（Ｈ−Ｄ２）配列番号２７のアミノ酸配列に対して、８０％以上の同一性を有するアミノ酸配列
（Ｈ−Ｄ３）配列番号２７のアミノ酸配列において、１個または数個のアミノ酸が欠失、置換、挿入および／または付加されたアミノ酸配列
（２）下記（Ｌ−Ａ）のアミノ酸配列からなるポリペプチドを含む軽鎖可変領域
（Ｌ−Ａ）下記（Ｌ−Ａ１）、（Ｌ−Ａ２）または（Ｌ−Ａ３）のアミノ酸配列
（Ｌ−Ａ１）配列番号１４のアミノ酸配列
（Ｌ−Ａ２）配列番号１４のアミノ酸配列に対して、８０％以上の同一性を有するアミノ酸配列
（Ｌ−Ａ３）配列番号１４のアミノ酸配列において、１個または数個のアミノ酸が欠失、置換、挿入および／または付加されたアミノ酸配列
（Ｅ）下記（３）の重鎖可変領域と上記（２）の軽鎖可変領域とを含む、チクングニアウイルスに対する抗体
（３）下記（Ｈ−Ｅ）のアミノ酸配列からなるポリペプチドを含む重鎖可変領域
（Ｈ−Ｅ）下記（Ｈ−Ｅ１）、（Ｈ−Ｅ２）または（Ｈ−Ｅ３）のアミノ酸配列
（Ｈ−Ｅ１）配列番号２８のアミノ酸配列
（Ｈ−Ｅ２）配列番号２８のアミノ酸配列に対して、８０％以上の同一性を有するアミノ酸配列
（Ｈ−Ｅ３）配列番号２８のアミノ酸配列において、１個または数個のアミノ酸が欠失、置換、挿入および／または付加されたアミノ酸配列
９．前記標識物質保持部は、さらに、下記（Ｄ）の抗体またはその抗原結合断片を含有し、
前記検出部は、さらに、下記（Ｅ）の抗体またはその抗原結合断片を含有する、前記１〜６のいずれか１に記載の免疫クロマト分析装置。
（Ｄ）下記（１）の重鎖と下記（２）の軽鎖とを含む、チクングニアウイルスに対する抗体
（１）下記（ＨＤ）のアミノ酸配列からなるポリペプチドを含む重鎖
（ＨＤ）下記（ＨＤ１）、（ＨＤ２）または（ＨＤ３）のアミノ酸配列
（ＨＤ１）配列番号２９のアミノ酸配列
（ＨＤ２）配列番号２９のアミノ酸配列に対して、８０％以上の同一性を有するアミノ酸配列
（ＨＤ３）配列番号２９のアミノ酸配列において、１個または数個のアミノ酸が欠失、置換、挿入および／または付加されたアミノ酸配列
（２）下記（ＬＡ）のアミノ酸配列からなるポリペプチドを含む軽鎖
（ＬＡ）下記（ＬＡ１）、（ＬＡ２）または（ＬＡ３）のアミノ酸配列
（ＬＡ１）配列番号１８のアミノ酸配列
（ＬＡ２）配列番号１８のアミノ酸配列に対して、８０％以上の同一性を有するアミノ酸配列
（ＬＡ３）配列番号１８のアミノ酸配列において、１個または数個のアミノ酸が欠失、置換、挿入および／または付加されたアミノ酸配列
（Ｅ）下記（３）の重鎖と上記（２）の軽鎖とを含む、チクングニアウイルスに対する抗体
（３）下記（ＨＥ）のアミノ酸配列からなるポリペプチドを含む重鎖
（ＨＥ）下記（ＨＥ１）、（ＨＥ２）または（ＨＥ３）のアミノ酸配列
（ＨＥ１）配列番号３０のアミノ酸配列
（ＨＥ２）配列番号３０のアミノ酸配列に対して、８０％以上の同一性を有するアミノ酸配列
（ＨＥ３）配列番号３０のアミノ酸配列において、１個または数個のアミノ酸が欠失、置換、挿入および／または付加されたアミノ酸配列
１０．前記（Ｄ）の抗体またはその抗原結合断片、および、前記（Ｅ）の抗体またはその抗原結合断片が、ＥＣＳＡ型、Ａｓｉａｎ型、及びＷＡ型の少なくともいずれか１の遺伝子型を有するチクングニアウイルスに特異的に結合する、前記７〜９のいずれか１に記載の免疫クロマト分析装置。
１１．前記標識物質保持部における前記抗体（Ａ）の抗体またはその抗原結合断片と、前記抗体（Ｄ）の抗体またはその抗原結合断片と、の含有比率（質量）が１：２〜２：１である、前記７〜１０のいずれか１に記載の免疫クロマト分析装置。
１２．前記試料添加部に添加する試料が、チクングニアウイルス感染者の全血、血清、血漿、精液、および髄液のいずれか１である、前記１〜１１のいずれか１に記載の免疫クロマト分析装置。
１３．前記１〜１２のいずれか１に記載の免疫クロマト分析装置と、検体を希釈して展開するための検体希釈液とを含む、免疫クロマト分析キット。
１４．以下の工程（１）〜（４）を含む、前記１３に記載の免疫クロマト分析キットを用いて検体に含まれるチクングニアウイルスを検出する免疫クロマト分析方法。
（１）検体希釈液により検体を希釈した検体含有液を試料添加部に添加する工程
（２）標識物質保持部に保持されている、前記（Ａ）の抗体またはその抗原結合断片により前記チクングニアウイルスを認識させる工程
（３）前記検体および前記（Ａ）の抗体またはその抗原結合断片を移動相としてクロマトグラフ媒体部に展開させる工程
（４）展開された移動相中のチクングニアウイルスを、検出部に含まれる前記（Ｂ）の抗体またはその抗原結合断片および前記（Ｃ）の抗体またはその抗原結合断片により検出する工程
【手続補正８】
【補正対象書類名】明細書
【補正対象項目名】００１８
【補正方法】変更
【補正の内容】
【００１８】
前記抗体等またはその抗原結合断片（以下、抗体等ともいう）は、前述のように、ＥＣＳＡ型ＣＨＩＫＶ、ＷＡ型ＣＨＩＫＶ、およびＡｓｉａｎ型ＣＨＩＫＶの少なくともいずれか１の遺伝子型を有するチクングニアウイルスに特異的に結合する。前記ＥＣＳＡ型ＣＨＩＫＶ、前記ＷＡ型ＣＨＩＫＶ、および前記Ａｓｉａｎ型ＣＨＩＫＶは、例えば、下記参考文献１を参照して分類できる。前記抗体等は、より具体的には、例えば、ＥＣＳＡ型ＣＨＩＫＶのエンベロープ糖タンパク質（以下、「Ｅｎｖタンパク質」ともいう）、ＷＡ型ＣＨＩＫＶのＥｎｖタンパク質、およびＡｓｉａｎ型ＣＨＩＫＶのＥｎｖタンパク質に結合する。前記Ｅｎｖタンパク質は、例えば、ＣＨＩＫＶのエンベロープタンパク質を意味する。前記Ｅｎｖタンパク質は、例えば、６Ｋ−Ｅ１タンパク質、Ｅ２タンパク質、およびＥ３タンパク質から構成されるため、Ｅ３−Ｅ２−６Ｋ−Ｅ１タンパク質ともいう。ＣＨＩＫＶのＥｎｖタンパク質のアミノ酸配列は、例えば、既存のデータベースに登録されている情報を参照できる。具体例として、ＥＣＳＡ型ＣＨＩＫＶ由来Ｅｎｖタンパク質は、例えば、ＮＣＢＩアクセッション番号ＢＡＰ７４２２０．１で登録されているアミノ酸配列において、２６８番目から１２４７番目の下記のアミノ酸配列（配列番号３１）があげられる。ＷＡ型ＣＨＩＫＶ由来Ｅｎｖタンパク質は、例えば、ＮＣＢＩアクセッション番号ＡＡＵ４３８８１．１で登録されているアミノ酸配列において、２６８番目から１２４７番目の下記のアミノ酸配列（配列番号３２）があげられる。Ａｓｉａｎ型ＣＨＩＫＶ由来Ｅｎｖタンパク質は、例えば、ＮＣＢＩアクセッション番号ＡＤＧ９５９３８．１で登録されているアミノ酸配列において、２６８番目から１２４７番目の下記のアミノ酸配列（配列番号３３）があげられる。
参考文献１：Ａｅｋｋａｃｈａｉ  Ｔｕｅｋｐｒａｋｈｏｎ  ｅｔ．ａｌ．，“Ｖａｒｉａｔｉｏｎ  ａｔ  ｐｏｓｉｔｉｏｎ  ３５０  ｉｎ  ｔｈｅ  Ｃｈｉｋｕｎｇｕｎｙａ  ｖｉｒｕｓ  ６Ｋ−Ｅ１  ｐｒｏｔｅｉｎ  ｄｅｔｅｒｍｉｎｅｓ  ｔｈｅ  ｓｅｎｓｉｔｉｖｉｔｙ  ｏｆ  ｄｅｔｅｃｔｉｏｎ  ｉｎ  ａ  ｒａｐｉｄ  Ｅ１−ａｎｔｉｇｅｎ  ｔｅｓｔ”，Ｓｃｉｅｎｔｉｆｉｃ  Ｒｅｐｏｒｔ，ｖｏｌ．８，Ａｒｔｉｃｌｅ  Ｎｕｍｂｅｒ：１０９４，２０１８
【手続補正９】
【補正対象書類名】明細書
【補正対象項目名】００１９
【補正方法】変更
【補正の内容】
【００１９】
ＥＣＳＡ型ＣＨＩＫＶ由来Ｅｎｖタンパク質（配列番号３１）
ＭＣＬＬＡＮＴＴＦＰＣＳＱＰＰＣＴＰＣＣＹＥＫＥＰＥＥＴＬＲＭＬＥＤＮＶＭＲＰＧＹＹＱＬＬＱＡＳＬＴＣＳＰＨＲＱＲＲＳＴＫＤＮＦＮＶＹＫＡＴＲＰＹＬＡＨＣＰＤＣＧＥＧＨＳＣＨＳＰＶＡＬＥＲＩＲＮＥＡＴＤＧＴＬＫＩＱＶＳＬＱＩＧＩＫＴＤＤＳＨＤＷＴＫＬＲＹＭＤＮＨＭＰＡＤＡＥＲＡＧＬＦＶＲＴＳＡＰＣＴＩＴＧＴＭＧＨＦＩＬＡＲＣＰＫＧＥＴＬＴＶＧＦＴＤＳＲＫＩＳＨＳＣＴＨＰＦＨＨＤＰＰＶＩＧＲＥＫＦＨＳＲＰＱＨＧＫＥＬＰＣＳＴＹＶＱＳＴＡＡＴＴＥＥＩＥＶＨＭＰＰＤＴＰＤＲＴＬＭＳＱＱＳＧＮＶＫＩＴＶＮＧＱＴＶＲＹＫＣＮＣＧＧＳＮＥＧＬＴＴＴＤＫＶＩＮＮＣＫＶＤＱＣＨＡＡＶＴＮＨＫＫＷＱＹＮＳＰＬＶＰＲＮＡＥＬＧＤＲＱＧＫＩＨＩＰＦＰＬＡＮＶＴＣＲＶＰＫＡＲＮＰＴＶＴＹＧＫＮＱＶＩＭＬＬＹＰＤＨＰＴＬＬＳＹＲＮＭＧＥＥＰＮＹＱＥＥＷＶＭＨＫＫＥＶＶＬＴＶＰＴＥＧＬＥＶＴＷＧＮＮＥＰＹＫＹＷＰＱＬＳＴＮＧＴＡＨＧＨＰＨＥＩＩＬＹＹＹＥＬＹＰＴＭＴＶＶＶＶＳＶＡＴＦＩＬＬＳＭＶＧＭＡＡＧＭＣＭＣＡＲＲＲＣＩＴＰＹＥＬＴＰＧＡＴＶＰＦＬＬＳＬＩＣＣＩＲＴＡＫＡＡＴＹＱＥＡＡＩＹＬＷＮＥＱＱＰＬＦＷＬＱＡＬＩＰＬＡＡＬＩＶＬＣＮＣＬＲＬＬＰＣＣＣＫＴＬＡＦＬＡＶＭＳＶＧＡＨＴＶＳＡＹＥＨＶＴＶＩＰＮＴＶＧＶＰＹＫＴＬＶＮＲＰＧＹＳＰＭＶＬＥＭＥＬＬＳＶＴＬＥＰＴＬＳＬＤＹＩＴＣＥＹＫＴＶＩＰＳＰＹＶＫＣＣＧＴＡＥＣＫＤＫＮＬＰＤＹＳＣＫＶＦＴＧＶＹＰＦＭＷＧＧＡＹＣＦＣＤＡＥＮＴＱＬＳＥＡＨＶＥＫＳＥＳＣＫＴＥＦＡＳＡＹＲＡＨＴＡＳＡＳＡＫＬＲＶＬＹＱＧＮＮＩＴＶＴＡＹＡＮＧＤＨＡＶＴＶＫＤＡＫＦＩＶＧＰＭＳＳＡＷＴＰＦＤＮＫＩＶＶＹＫＧＤＶＹＮＭＤＹＰＰＦＧＡＧＲＰＧＱＦＧＤＩＱＳＲＴＰＥＳＫＤＶＹＡＮＴＱＬＶＬＱＲＰＡＶＧＴＶＨＶＰＹＳＱＡＰＳＧＦＫＹＷＬＫＥＲＧＡＳＬＱＨＴＡＰＦＧＣＱＩＡＴＮＰＶＲＡＶＮＣＡＶＧＮＭＰＩＳＩＤＩＰＥＡＡＦＴＲＶＶＤＡＰＳＬＴＤＭＳＣＥＶＰＡＣＴＨＳＳＤＦＧＧＶＡＩＩＫＹＡＡＳＫＫＧＫＣＡＶＨＳＭＴＮＡＶＴＩＲＥＡＥＩＥＶＥＧＮＳＱＬＱＩＳＦＳＴＡＬＡＳＡＥＦＲＶＱＶＣＳＴＱＶＨＣＡＡＥＣＨＰＰＫＤＨＩＶＮＹＰＡＳＨＴＴＬＧＶＱＤＩＳＡＴＡＭＳＷＶＱＫＩＴＧＧＶＧＬＶＶＡＶＡＡＬＩＬＩＶＶＬＣＶＳＦＳＲＨ
【手続補正１０】
【補正対象書類名】明細書
【補正対象項目名】０１２０
【補正方法】変更
【補正の内容】
【０１２０】
また、検出部（４）には、好ましくは、前記（Ｅ）の抗体またはその抗原結合断片が含まれる。前記（Ｅ）の抗体またはその抗原結合断片を含有する場合、検出部中の前記（Ｅ）の抗体またはその抗原結合断片の含有量は、通常０．１μｇ〜１μｇであり、好ましくは０．２μｇ〜０．７μｇであり、より好ましくは０．３μｇ〜０．６μｇである。また、検出部（４）の単位面積当たりの、前記（Ｅ）の抗体またはその抗原結合断片の含有量は、通常０．１５μｇ／ｃｍ２〜４μｇ／ｃｍ２であり、好ましくは０．２μｇ／ｃｍ２〜３μｇ／ｃｍ２であり、より好ましくは０．２μｇ／ｃｍ２〜２．５μｇ／ｃｍ２である。
【手続補正１１】
【補正対象書類名】明細書
【補正対象項目名】０１２１
【補正方法】変更
【補正の内容】
【０１２１】
また、検出部中の前記（Ｂ）の抗体またはその抗原結合断片及び前記（Ｃ）の抗体またはその抗原結合断片の合計と、前記（Ｅ）の抗体またはその抗原結合断片との含有量比は、質量比で１：２〜２：１であることが好ましい。
【手続補正１２】
【補正対象書類名】明細書
【補正対象項目名】０１６３
【補正方法】変更
【補正の内容】
【０１６３】
（試験例１）
本試験では、実施例１〜３、比較例１の免疫クロマト分析キットにおいて、遺伝子型が異なるチクングニアウイルス間で反応性の違いが生じるかを調べた。具体的には前記作製した実施例１〜３、比較例１の免疫クロマト分析キットを用い、下記検体を用いて、測定を行った。
検体のチクングニアウイルスとしては、ＥＣＳＡ型（自家培養）、Ａｓｉａｎ型（自家培養）およびＷＡ型（自家培養）を用いた。
ＥＣＳＡ型およびＡｓｉａｎ型については、当該各ウイルスを１×１０４ｐｆｕ／ｍＬ、１×１０５ｐｆｕ／ｍＬ、または１×１０６ｐｆｕ／ｍＬに検体希釈液で希釈して、検体含有液を調製し、これを検体試料とした。また、陰性対照検体として、ウイルスを含有しない検体希釈液を用いた。
また、ＷＡ型（自家培養）については、当該ウイルスを６ｎｇ／ｍＬ、３０ｎｇ／ｍＬ、１５０ｎｇ／ｍＬとなるように検体希釈液で希釈して、検体含有液を調製し、これを検体試料とした。
また、陰性対照検体として、ウイルスを含有しない検体希釈液を用いた。
【手続補正１３】
【補正対象書類名】明細書
【補正対象項目名】０１７０
【補正方法】変更
【補正の内容】
【０１７０】
試験例１の結果から、実施例１〜３の免疫クロマト分析キットにおいて、いずれもチクングニアウイルスのＥＣＳＡ型、Ａｓｉａｎ型及びＷＡ型の検出が可能であることがわかった。また実施例２及び３は、実施例１の発色強度と比較した場合、実施例１よりもＥＣＳＡ型に対する発色強度が高く、より遺伝子型による差が解消していることがわかった。一方、比較例１の免疫クロマト分析キットにおいて、Ａｓｉａｎ型については、ウイルス濃度が１×１０４ｐｆｕ／ｍＬの場合陰性と判定された。
なお、陰性検体の結果からもわかるとおり、いずれの免疫クロマト分析キットにおいても非特異反応（擬陽性反応）は見られなかった。
【手続補正１４】
【補正対象書類名】明細書
【補正対象項目名】０１７１
【補正方法】変更
【補正の内容】
【０１７１】
（試験例２）
本試験では、実施例１〜３、比較例１の免疫クロマト分析キットにおいて、チクングニアウイルスの変異の有無による反応性の違いについて調べた。具体的には前記作製した実施例１〜３、比較例１の免疫クロマト分析キットを用い、下記検体を用いて、測定を行った。
検体のチクングニアウイルスとしては、自家培養の、ＥＣＳＡ野生型（ＷＴ）および変異型（ＭＴ）、Ａｓｉａｎ野生型（ＷＴ）および変異型（ＭＴ）を用い、当該各ウイルスを６ｎｇ／ｍＬ、３０ｎｇ／ｍＬ、１５０ｎｇ／ｍＬとなるように検体希釈液で希釈して、検体含有液を調製し、これを検体試料とした。
前記ＥＣＳＡ変異型は、ＥＣＳＡ野生型のＥ１タンパク質のアミノ酸配列の３５０番目のグルタミン酸がアスパラギン酸に置換したものであり、Ａｓｉａｎ変異型は、Ａｓｉａｎ野生型のＥ１タンパク質のアミノ酸配列の３５０番目のアスパラギン酸がグルタミン酸に置換したものである。
【手続補正１５】
【補正対象書類名】明細書
【補正対象項目名】０１８０
【補正方法】変更
【補正の内容】
【０１８０】
（試験例３）
本試験では、実施例２、３及び比較例１の免疫クロマト分析キットにおいて、チクングニアウイルス以外のウイルスとの交叉反応性を調べた。具体的には、前記作製した実施例２、３及び比較例１の免疫クロマト分析キットを用い、検体として、チクングニアウイルスと同じトガウイルス科アルファウイルス属であるシンドビスウイルス（ＳＩＮＶ、自家培養）を用い、当該ウイルスを、１×１０５ｐｆｕ／ｍＬ、１×１０６ｐｆｕ／ｍＬ、または１×１０７ｐｆｕ／ｍＬに検体希釈液で希釈して、検体含有液を調製し、これを検体試料とした。
前記調製した各検体含有液９０μＬを実施例２、３及び比較例１の免疫クロマト分析装置の試料添加部に添加し展開させ、１５分後にイムノクロマトリーダーを用いて、検出部の発色強度を測定した。結果を表１０に示す（ＮＤは測定不可を示す）。
【手続補正１６】
【補正対象書類名】特許請求の範囲
【補正対象項目名】全文
【補正方法】変更
【補正の内容】
【特許請求の範囲】
【請求項１】
試料添加部、標識物質保持部、検出部を有するクロマトグラフ媒体部及び吸収部を含む、チクングニアウイルスを検出するための免疫クロマト分析装置であって、
前記標識物質保持部は、下記（Ａ）の抗体またはその抗原結合断片を含有し、
前記検出部は、下記（Ｂ）の抗体またはその抗原結合断片、及び下記（Ｃ）の抗体またはその抗原結合断片を含有する、
免疫クロマト分析装置。
（Ａ）下記（１）の重鎖可変領域と下記（２）の軽鎖可変領域とを含む、チクングニアウイルスに対する抗体
（１）重鎖相補性決定領域（ＣＤＲＨ）１、ＣＤＲＨ２、およびＣＤＲＨ３を含み、
ＣＤＲＨ１が、下記（Ｈ１−Ａ）のアミノ酸配列を含むポリペプチドであり、
ＣＤＲＨ２が、下記（Ｈ２−Ａ）のアミノ酸配列を含むポリペプチドであり、
ＣＤＲＨ３が、下記（Ｈ３−Ａ）のアミノ酸配列を含むポリペプチドである重鎖可変領域
（Ｈ１−Ａ）下記（Ｈ１−Ａ１）、（Ｈ１−Ａ２）または（Ｈ１−Ａ３）のアミノ酸配列
（Ｈ１−Ａ１）配列番号１のアミノ酸配列
（Ｈ１−Ａ２）配列番号１のアミノ酸配列に対して、８０％以上の同一性を有するアミノ酸配列
（Ｈ１−Ａ３）配列番号１のアミノ酸配列において、１個または数個のアミノ酸が欠失、置換、挿入および／または付加されたアミノ酸配列
（Ｈ２−Ａ）下記（Ｈ２−Ａ１）、（Ｈ２−Ａ２）または（Ｈ２−Ａ３）のアミノ酸配列
（Ｈ２−Ａ１）配列番号２のアミノ酸配列
（Ｈ２−Ａ２）配列番号２のアミノ酸配列に対して、８０％以上の同一性を有するアミノ酸配列
（Ｈ２−Ａ３）配列番号２のアミノ酸配列において、１個または数個のアミノ酸が欠失、置換、挿入および／または付加されたアミノ酸配列
（Ｈ３−Ａ）下記（Ｈ３−Ａ１）、（Ｈ３−Ａ２）または（Ｈ３−Ａ３）のアミノ酸配列
（Ｈ３−Ａ１）配列番号３のアミノ酸配列
（Ｈ３−Ａ２）配列番号３のアミノ酸配列に対して、８０％以上の同一性を有するアミノ酸配列
（Ｈ３−Ａ３）配列番号３のアミノ酸配列において、１個または数個のアミノ酸が欠失、置換、挿入および／または付加されたアミノ酸配列
（２）軽鎖相補性決定領域（ＣＤＲＬ）１、ＣＤＲＬ２、およびＣＤＲＬ３を含み、
ＣＤＲＬ１が、下記（Ｌ１−Ａ）のアミノ酸配列を含むポリペプチドであり、
ＣＤＲＬ２が、下記（Ｌ２−Ａ）のアミノ酸配列を含むポリペプチドであり、
ＣＤＲＬ３が、下記（Ｌ３−Ａ）のアミノ酸配列を含むポリペプチドである軽鎖可変領域
（Ｌ１−Ａ）下記（Ｌ１−Ａ１）、（Ｌ１−Ａ２）または（Ｌ１−Ａ３）のアミノ酸配列
（Ｌ１−Ａ１）配列番号４のアミノ酸配列
（Ｌ１−Ａ２）配列番号４のアミノ酸配列に対して、８０％以上の同一性を有するアミノ酸配列
（Ｌ１−Ａ３）配列番号４のアミノ酸配列において、１個または数個のアミノ酸が欠失、置換、挿入および／または付加されたアミノ酸配列
（Ｌ２−Ａ）下記（Ｌ２−Ａ１）、（Ｌ２−Ａ２）または（Ｌ２−Ａ３）のアミノ酸配列
（Ｌ２−Ａ１）配列番号５のアミノ酸配列
（Ｌ２−Ａ２）配列番号５のアミノ酸配列に対して、８０％以上の同一性を有するアミノ酸配列
（Ｌ２−Ａ３）配列番号５のアミノ酸配列において、１個または数個のアミノ酸が欠失、置換、挿入および／または付加されたアミノ酸配列
（Ｌ３−Ａ）下記（Ｌ３−Ａ１）、（Ｌ３−Ａ２）または（Ｌ３−Ａ３）のアミノ酸配列
（Ｌ３−Ａ１）配列番号６のアミノ酸配列
（Ｌ３−Ａ２）配列番号６のアミノ酸配列に対して、８０％以上の同一性を有するアミノ酸配列
（Ｌ３−Ａ３）配列番号６のアミノ酸配列において、１個または数個のアミノ酸が欠失、置換、挿入および／または付加されたアミノ酸配列
（Ｂ）下記（３）の重鎖可変領域と上記（２）の軽鎖可変領域とを含む、チクングニアウイルスに対する抗体
（３）重鎖相補性決定領域（ＣＤＲＨ）１、ＣＤＲＨ２、およびＣＤＲＨ３を含み、
ＣＤＲＨ１が、下記（Ｈ１−Ｂ）のアミノ酸配列を含むポリペプチドであり、
ＣＤＲＨ２が、下記（Ｈ２−Ｂ）のアミノ酸配列を含むポリペプチドであり、
ＣＤＲＨ３が、下記（Ｈ３−Ｂ）のアミノ酸配列を含むポリペプチドである重鎖可変領域
（Ｈ１−Ｂ）下記（Ｈ１−Ｂ１）、（Ｈ１−Ｂ２）または（Ｈ１−Ｂ３）のアミノ酸配列
（Ｈ１−Ｂ１）配列番号７のアミノ酸配列
（Ｈ１−Ｂ２）配列番号７のアミノ酸配列に対して、８０％以上の同一性を有するアミノ酸配列
（Ｈ１−Ｂ３）配列番号７のアミノ酸配列において、１個または数個のアミノ酸が欠失、置換、挿入および／または付加されたアミノ酸配列
（Ｈ２−Ｂ）下記（Ｈ２−Ｂ１）、（Ｈ２−Ｂ２）または（Ｈ２−Ｂ３）のアミノ酸配列
（Ｈ２−Ｂ１）配列番号８のアミノ酸配列
（Ｈ２−Ｂ２）配列番号８のアミノ酸配列に対して、８０％以上の同一性を有するアミノ酸配列
（Ｈ２−Ｂ３）配列番号８のアミノ酸配列において、１個または数個のアミノ酸が欠失、置換、挿入および／または付加されたアミノ酸配列
（Ｈ３−Ｂ）下記（Ｈ３−Ｂ１）、（Ｈ３−Ｂ２）または（Ｈ３−Ｂ３）のアミノ酸配列
（Ｈ３−Ｂ１）配列番号９のアミノ酸配列
（Ｈ３−Ｂ２）配列番号９のアミノ酸配列に対して、８０％以上の同一性を有するアミノ酸配列
（Ｈ３−Ｂ３）配列番号９のアミノ酸配列において、１個または数個のアミノ酸が欠失、置換、挿入および／または付加されたアミノ酸配列
（Ｃ）下記（４）の重鎖可変領域と上記（２）の軽鎖可変領域とを含む、チクングニアウイルスに対する抗体
（４）ＣＤＲＨ１、ＣＤＲＨ２、およびＣＤＲＨ３を含み、
ＣＤＲＨ１が、下記（Ｈ１−Ｃ）のアミノ酸配列を含むポリペプチドであり、
ＣＤＲＨ２が、下記（Ｈ２−Ｃ）のアミノ酸配列を含むポリペプチドであり、
ＣＤＲＨ３が、下記（Ｈ３−Ｃ）のアミノ酸配列を含むポリペプチドである重鎖可変領域
（Ｈ１−Ｃ）下記（Ｈ１−Ｃ１）、（Ｈ１−Ｃ２）または（Ｈ１−Ｃ３）のアミノ酸配列
（Ｈ１−Ｃ１）配列番号１０のアミノ酸配列
（Ｈ１−Ｃ２）配列番号１０のアミノ酸配列に対して、８０％以上の同一性を有するアミノ酸配列
（Ｈ１−Ｃ３）配列番号１０のアミノ酸配列において、１個または数個のアミノ酸が欠失、置換、挿入および／または付加されたアミノ酸配列
（Ｈ２−Ｃ）下記（Ｈ２−Ｃ１）、（Ｈ２−Ｃ２）または（Ｈ２−Ｃ３）のアミノ酸配列
（Ｈ２−Ｃ１）配列番号１１のアミノ酸配列
（Ｈ２−Ｃ２）配列番号１１のアミノ酸配列に対して、８０％以上の同一性を有するアミノ酸配列
（Ｈ２−Ｃ３）配列番号１１のアミノ酸配列において、１個または数個のアミノ酸が欠失、置換、挿入および／または付加されたアミノ酸配列
（Ｈ３−Ｃ）下記（Ｈ３−Ｃ１）、（Ｈ３−Ｃ２）または（Ｈ３−Ｃ３）のアミノ酸配列
（Ｈ３−Ｃ１）配列番号１２のアミノ酸配列
（Ｈ３−Ｃ２）配列番号１２のアミノ酸配列に対して、８０％以上の同一性を有するアミノ酸配列
（Ｈ３−Ｃ３）配列番号１２のアミノ酸配列において、１個または数個のアミノ酸が欠失、置換、挿入および／または付加されたアミノ酸配列
【請求項２】
試料添加部、標識物質保持部、検出部を有するクロマトグラフ媒体部及び吸収部を含む、チクングニアウイルスを検出するための免疫クロマト分析装置であって、
前記標識物質保持部は、下記（Ａ）の抗体またはその抗原結合断片を含有し、
前記検出部は、下記（Ｂ）の抗体またはその抗原結合断片、及び下記（Ｃ）の抗体またはその抗原結合断片を含有する、
免疫クロマト分析装置。
（Ａ）下記（１）の重鎖可変領域と下記（２）の軽鎖可変領域とを含む、チクングニアウイルスに対する抗体
（１）下記（Ｈ−Ａ）のアミノ酸配列からなるポリペプチドを含む重鎖可変領域
（Ｈ−Ａ）下記（Ｈ−Ａ１）、（Ｈ−Ａ２）または（Ｈ−Ａ３）のアミノ酸配列
（Ｈ−Ａ１）配列番号１３のアミノ酸配列
（Ｈ−Ａ２）配列番号１３のアミノ酸配列に対して、８０％以上の同一性を有するアミノ酸配列
（Ｈ−Ａ３）配列番号１３のアミノ酸配列において、１個または数個のアミノ酸が欠失、置換、挿入および／または付加されたアミノ酸配列
（２）下記（Ｌ−Ａ）のアミノ酸配列からなるポリペプチドを含む軽鎖可変領域
（Ｌ−Ａ）下記（Ｌ−Ａ１）、（Ｌ−Ａ２）または（Ｌ−Ａ３）のアミノ酸配列
（Ｌ−Ａ１）配列番号１４のアミノ酸配列
（Ｌ−Ａ２）配列番号１４のアミノ酸配列に対して、８０％以上の同一性を有するアミノ酸配列
（Ｌ−Ａ３）配列番号１４のアミノ酸配列において、１個または数個のアミノ酸が欠失、置換、挿入および／または付加されたアミノ酸配列
（Ｂ）下記（３）の重鎖可変領域と上記（２）の軽鎖可変領域とを含む、チクングニアウイルスに対する抗体
（３）下記（Ｈ−Ｂ）のアミノ酸配列からなるポリペプチドを含む重鎖可変領域
（Ｈ−Ｂ）下記（Ｈ−Ｂ１）、（Ｈ−Ｂ２）または（Ｈ−Ｂ３）のアミノ酸配列
（Ｈ−Ｂ１）配列番号１５のアミノ酸配列
（Ｈ−Ｂ２）配列番号１５のアミノ酸配列に対して、８０％以上の同一性を有するアミノ酸配列
（Ｈ−Ｂ３）配列番号１５のアミノ酸配列において、１個または数個のアミノ酸が欠失、置換、挿入および／または付加されたアミノ酸配列
（Ｃ）下記（４）の重鎖可変領域と上記（２）の軽鎖可変領域とを含む、チクングニアウイルスに対する抗体
（４）下記（Ｈ−Ｃ）のアミノ酸配列からなるポリペプチドを含む重鎖可変領域
（Ｈ−Ｃ）下記（Ｈ−Ｃ１）、（Ｈ−Ｃ２）または（Ｈ−Ｃ３）のアミノ酸配列
（Ｈ−Ｃ１）配列番号１６のアミノ酸配列
（Ｈ−Ｃ２）配列番号１６のアミノ酸配列に対して、８０％以上の同一性を有するアミノ酸配列
（Ｈ−Ｃ３）配列番号１６のアミノ酸配列において、１個または数個のアミノ酸が欠失、置換、挿入および／または付加されたアミノ酸配列
【請求項３】
試料添加部、標識物質保持部、検出部を有するクロマトグラフ媒体部及び吸収部を含む、チクングニアウイルスを検出するための免疫クロマト分析装置であって、
前記標識物質保持部は、下記（Ａ）の抗体またはその抗原結合断片を含有し、
前記検出部は、下記（Ｂ）の抗体またはその抗原結合断片、及び下記（Ｃ）の抗体またはその抗原結合断片を含有する、
免疫クロマト分析装置。
（Ａ）下記（１）の重鎖と下記（２）の軽鎖とを含む、チクングニアウイルスに対する抗体
（１）下記（ＨＡ）のアミノ酸配列からなるポリペプチドを含む重鎖
（ＨＡ）下記（ＨＡ１）、（ＨＡ２）または（ＨＡ３）のアミノ酸配列
（ＨＡ１）配列番号１７のアミノ酸配列
（ＨＡ２）配列番号１７のアミノ酸配列に対して、８０％以上の同一性を有するアミノ酸配列
（ＨＡ３）配列番号１７のアミノ酸配列において、１個または数個のアミノ酸が欠失、置換、挿入および／または付加されたアミノ酸配列
（２）下記（ＬＡ）のアミノ酸配列からなるポリペプチドを含む軽鎖
（ＬＡ）下記（ＬＡ１）、（ＬＡ２）または（ＬＡ３）のアミノ酸配列
（ＬＡ１）配列番号１８のアミノ酸配列
（ＬＡ２）配列番号１８のアミノ酸配列に対して、８０％以上の同一性を有するアミノ酸配列
（ＬＡ３）配列番号１８のアミノ酸配列において、１個または数個のアミノ酸が欠失、置換、挿入および／または付加されたアミノ酸配列
（Ｂ）下記（３）の重鎖と上記（２）の軽鎖とを含む、チクングニアウイルスに対する抗体
（３）下記（ＨＢ）のアミノ酸配列からなるポリペプチドを含む重鎖
（ＨＢ）下記（ＨＢ１）、（ＨＢ２）または（ＨＢ３）のアミノ酸配列
（ＨＢ１）配列番号１９のアミノ酸配列
（ＨＢ２）配列番号１９のアミノ酸配列に対して、８０％以上の同一性を有するアミノ酸配列
（ＨＢ３）配列番号１９のアミノ酸配列において、１個または数個のアミノ酸が欠失、置換、挿入および／または付加されたアミノ酸配列
（Ｃ）下記（４）の重鎖と上記（２）の軽鎖とを含む、チクングニアウイルスに対する抗体
（４）下記（ＨＣ）のアミノ酸配列からなるポリペプチドを含む重鎖
（ＨＣ）下記（ＨＣ１）、（ＨＣ２）または（ＨＣ３）のアミノ酸配列
（ＨＣ１）配列番号２０のアミノ酸配列
（ＨＣ２）配列番号２０のアミノ酸配列に対して、８０％以上の同一性を有するアミノ酸配列
（ＨＣ３）配列番号２０のアミノ酸配列において、１個または数個のアミノ酸が欠失、置換、挿入および／または付加されたアミノ酸配列
【請求項４】
チクングニアウイルスのうち、チクングニアウイルスのエンベロープ糖タンパク質を検出するための、請求項１〜３のいずれか１項に記載の免疫クロマト分析装置。
【請求項５】
前記チクングニアウイルスのエンベロープ糖タンパク質が、チクングニアウイルスのＥ１タンパク質である、請求項４に記載の免疫クロマト分析装置。
【請求項６】
前記（Ａ）の抗体またはその抗原結合断片、前記（Ｂ）の抗体またはその抗原結合断片、および、前記（Ｃ）の抗体またはその抗原結合断片が、ＥＣＳＡ型、Ａｓｉａｎ型、及びＷＡ型の少なくともいずれか１の遺伝子型を有するチクングニアウイルスに特異的に結合する、請求項１〜５のいずれか１項に記載の免疫クロマト分析装置。
【請求項７】
前記標識物質保持部は、さらに、下記（Ｄ）の抗体またはその抗原結合断片を含有し、
前記検出部は、さらに、下記（Ｅ）の抗体またはその抗原結合断片を含有する、請求項１〜６のいずれか１項に記載の免疫クロマト分析装置。
（Ｄ）下記（１）の重鎖可変領域と下記（２）の軽鎖可変領域とを含む、チクングニアウイルスに対する抗体
（１）重鎖相補性決定領域（ＣＤＲＨ）１、ＣＤＲＨ２、およびＣＤＲＨ３を含み、
ＣＤＲＨ１が、下記（Ｈ１−Ｄ）のアミノ酸配列を含むポリペプチドであり、
ＣＤＲＨ２が、下記（Ｈ２−Ｄ）のアミノ酸配列を含むポリペプチドであり、
ＣＤＲＨ３が、下記（Ｈ３−Ｄ）のアミノ酸配列を含むポリペプチドである重鎖可変領域
（Ｈ１−Ｄ）下記（Ｈ１−Ｄ１）、（Ｈ１−Ｄ２）または（Ｈ１−Ｄ３）のアミノ酸配列
（Ｈ１−Ｄ１）配列番号２１のアミノ酸配列
（Ｈ１−Ｄ２）配列番号２１のアミノ酸配列に対して、８０％以上の同一性を有するアミノ酸配列
（Ｈ１−Ｄ３）配列番号２１のアミノ酸配列において、１個または数個のアミノ酸が欠失、置換、挿入および／または付加されたアミノ酸配列
（Ｈ２−Ｄ）下記（Ｈ２−Ｄ１）、（Ｈ２−Ｄ２）または（Ｈ２−Ｄ３）のアミノ酸配列
（Ｈ２−Ｄ１）配列番号２２のアミノ酸配列
（Ｈ２−Ｄ２）配列番号２２のアミノ酸配列に対して、８０％以上の同一性を有するアミノ酸配列
（Ｈ２−Ｄ３）配列番号２２のアミノ酸配列において、１個または数個のアミノ酸が欠失、置換、挿入および／または付加されたアミノ酸配列
（Ｈ３−Ｄ）下記（Ｈ３−Ｄ１）、（Ｈ３−Ｄ２）または（Ｈ３−Ｄ３）のアミノ酸配列
（Ｈ３−Ｄ１）配列番号２３のアミノ酸配列
（Ｈ３−Ｄ２）配列番号２３のアミノ酸配列に対して、８０％以上の同一性を有するアミノ酸配列
（Ｈ３−Ｄ３）配列番号２３のアミノ酸配列において、１個または数個のアミノ酸が欠失、置換、挿入および／または付加されたアミノ酸配列
（２）軽鎖相補性決定領域（ＣＤＲＬ）１、ＣＤＲＬ２、およびＣＤＲＬ３を含み、
ＣＤＲＬ１が、下記（Ｌ１−Ａ）のアミノ酸配列を含むポリペプチドであり、
ＣＤＲＬ２が、下記（Ｌ２−Ａ）のアミノ酸配列を含むポリペプチドであり、
ＣＤＲＬ３が、下記（Ｌ３−Ａ）のアミノ酸配列を含むポリペプチドである軽鎖可変領域
（Ｌ１−Ａ）下記（Ｌ１−Ａ１）、（Ｌ１−Ａ２）または（Ｌ１−Ａ３）のアミノ酸配列
（Ｌ１−Ａ１）配列番号４のアミノ酸配列
（Ｌ１−Ａ２）配列番号４のアミノ酸配列に対して、８０％以上の同一性を有するアミノ酸配列
（Ｌ１−Ａ３）配列番号４のアミノ酸配列において、１個または数個のアミノ酸が欠失、置換、挿入および／または付加されたアミノ酸配列
（Ｌ２−Ａ）下記（Ｌ２−Ａ１）、（Ｌ２−Ａ２）または（Ｌ２−Ａ３）のアミノ酸配列
（Ｌ２−Ａ１）配列番号５のアミノ酸配列
（Ｌ２−Ａ２）配列番号５のアミノ酸配列に対して、８０％以上の同一性を有するアミノ酸配列
（Ｌ２−Ａ３）配列番号５のアミノ酸配列において、１個または数個のアミノ酸が欠失、置換、挿入および／または付加されたアミノ酸配列
（Ｌ３−Ａ）下記（Ｌ３−Ａ１）、（Ｌ３−Ａ２）または（Ｌ３−Ａ３）のアミノ酸配列
（Ｌ３−Ａ１）配列番号６のアミノ酸配列
（Ｌ３−Ａ２）配列番号６のアミノ酸配列に対して、８０％以上の同一性を有するアミノ酸配列
（Ｌ３−Ａ３）配列番号６のアミノ酸配列において、１個または数個のアミノ酸が欠失、置換、挿入および／または付加されたアミノ酸配列
（Ｅ）下記（３）の重鎖可変領域と上記（２）の軽鎖可変領域とを含む、チクングニアウイルスに対する抗体
（３）重鎖相補性決定領域（ＣＤＲＨ）１、ＣＤＲＨ２、およびＣＤＲＨ３を含み、
ＣＤＲＨ１が、下記（Ｈ１−Ｅ）のアミノ酸配列を含むポリペプチドであり、
ＣＤＲＨ２が、下記（Ｈ２−Ｅ）のアミノ酸配列を含むポリペプチドであり、
ＣＤＲＨ３が、下記（Ｈ３−Ｅ）のアミノ酸配列を含むポリペプチドである重鎖可変領域
（Ｈ１−Ｅ）下記（Ｈ１−Ｅ１）、（Ｈ１−Ｅ２）または（Ｈ１−Ｅ３）のアミノ酸配列
（Ｈ１−Ｅ１）配列番号２４のアミノ酸配列
（Ｈ１−Ｅ２）配列番号２４のアミノ酸配列に対して、８０％以上の同一性を有するアミノ酸配列
（Ｈ１−Ｅ３）配列番号２４のアミノ酸配列において、１個または数個のアミノ酸が欠失、置換、挿入および／または付加されたアミノ酸配列
（Ｈ２−Ｅ）下記（Ｈ２−Ｅ１）、（Ｈ２−Ｅ２）または（Ｈ２−Ｅ３）のアミノ酸配列
（Ｈ２−Ｅ１）配列番号２５のアミノ酸配列
（Ｈ２−Ｅ２）配列番号２５のアミノ酸配列に対して、８０％以上の同一性を有するアミノ酸配列
（Ｈ２−Ｅ３）配列番号２５のアミノ酸配列において、１個または数個のアミノ酸が欠失、置換、挿入および／または付加されたアミノ酸配列
（Ｈ３−Ｅ）下記（Ｈ３−Ｅ１）、（Ｈ３−Ｅ２）または（Ｈ３−Ｅ３）のアミノ酸配列
（Ｈ３−Ｅ１）配列番号２６のアミノ酸配列
（Ｈ３−Ｅ２）配列番号２６のアミノ酸配列に対して、８０％以上の同一性を有するアミノ酸配列
（Ｈ３−Ｅ３）配列番号２６のアミノ酸配列において、１個または数個のアミノ酸が欠失、置換、挿入および／または付加されたアミノ酸配列
【請求項８】
前記標識物質保持部は、さらに、下記（Ｄ）の抗体またはその抗原結合断片を含有し、
前記検出部は、さらに、下記（Ｅ）の抗体またはその抗原結合断片を含有する、請求項
１〜６のいずれか１項に記載の免疫クロマト分析装置。
（Ｄ）下記（１）の重鎖可変領域と下記（２）の軽鎖可変領域とを含む、チクングニアウイルスに対する抗体
（１）下記（Ｈ−Ｄ）のアミノ酸配列からなるポリペプチドを含む重鎖可変領域
（Ｈ−Ｄ）下記（Ｈ−Ｄ１）、（Ｈ−Ｄ２）または（Ｈ−Ｄ３）のアミノ酸配列
（Ｈ−Ｄ１）配列番号２７のアミノ酸配列
（Ｈ−Ｄ２）配列番号２７のアミノ酸配列に対して、８０％以上の同一性を有するアミノ酸配列
（Ｈ−Ｄ３）配列番号２７のアミノ酸配列において、１個または数個のアミノ酸が欠失、置換、挿入および／または付加されたアミノ酸配列
（２）下記（Ｌ−Ａ）のアミノ酸配列からなるポリペプチドを含む軽鎖可変領域
（Ｌ−Ａ）下記（Ｌ−Ａ１）、（Ｌ−Ａ２）または（Ｌ−Ａ３）のアミノ酸配列
（Ｌ−Ａ１）配列番号１４のアミノ酸配列
（Ｌ−Ａ２）配列番号１４のアミノ酸配列に対して、８０％以上の同一性を有するアミノ酸配列
（Ｌ−Ａ３）配列番号１４のアミノ酸配列において、１個または数個のアミノ酸が欠失、置換、挿入および／または付加されたアミノ酸配列
（Ｅ）下記（３）の重鎖可変領域と上記（２）の軽鎖可変領域とを含む、チクングニアウイルスに対する抗体
（３）下記（Ｈ−Ｅ）のアミノ酸配列からなるポリペプチドを含む重鎖可変領域
（Ｈ−Ｅ）下記（Ｈ−Ｅ１）、（Ｈ−Ｅ２）または（Ｈ−Ｅ３）のアミノ酸配列
（Ｈ−Ｅ１）配列番号２８のアミノ酸配列
（Ｈ−Ｅ２）配列番号２８のアミノ酸配列に対して、８０％以上の同一性を有するアミノ酸配列
（Ｈ−Ｅ３）配列番号２８のアミノ酸配列において、１個または数個のアミノ酸が欠失、置換、挿入および／または付加されたアミノ酸配列
【請求項９】
前記標識物質保持部は、さらに、下記（Ｄ）の抗体またはその抗原結合断片を含有し、
前記検出部は、さらに、下記（Ｅ）の抗体またはその抗原結合断片を含有する、請求項１〜６のいずれか１項に記載の免疫クロマト分析装置。
（Ｄ）下記（１）の重鎖と下記（２）の軽鎖とを含む、チクングニアウイルスに対する抗体
（１）下記（ＨＤ）のアミノ酸配列からなるポリペプチドを含む重鎖
（ＨＤ）下記（ＨＤ１）、（ＨＤ２）または（ＨＤ３）のアミノ酸配列
（ＨＤ１）配列番号２９のアミノ酸配列
（ＨＤ２）配列番号２９のアミノ酸配列に対して、８０％以上の同一性を有するアミノ酸配列
（ＨＤ３）配列番号２９のアミノ酸配列において、１個または数個のアミノ酸が欠失、置換、挿入および／または付加されたアミノ酸配列
（２）下記（ＬＡ）のアミノ酸配列からなるポリペプチドを含む軽鎖
（ＬＡ）下記（ＬＡ１）、（ＬＡ２）または（ＬＡ３）のアミノ酸配列
（ＬＡ１）配列番号１８のアミノ酸配列
（ＬＡ２）配列番号１８のアミノ酸配列に対して、８０％以上の同一性を有するアミノ酸配列
（ＬＡ３）配列番号１８のアミノ酸配列において、１個または数個のアミノ酸が欠失、置換、挿入および／または付加されたアミノ酸配列
（Ｅ）下記（３）の重鎖と上記（２）の軽鎖とを含む、チクングニアウイルスに対する抗体
（３）下記（ＨＥ）のアミノ酸配列からなるポリペプチドを含む重鎖
（ＨＥ）下記（ＨＥ１）、（ＨＥ２）または（ＨＥ３）のアミノ酸配列
（ＨＥ１）配列番号３０のアミノ酸配列
（ＨＥ２）配列番号３０のアミノ酸配列に対して、８０％以上の同一性を有するアミノ酸配列
（ＨＥ３）配列番号３０のアミノ酸配列において、１個または数個のアミノ酸が欠失、置換、挿入および／または付加されたアミノ酸配列
【請求項１０】
前記（Ｄ）の抗体またはその抗原結合断片、および、前記（Ｅ）の抗体またはその抗原結合断片が、ＥＣＳＡ型、Ａｓｉａｎ型、及びＷＡ型の少なくともいずれか１の遺伝子型を有するチクングニアウイルスに特異的に結合する、請求項７〜９のいずれか１項に記載の免疫クロマト分析装置。
【請求項１１】
前記標識物質保持部における前記抗体（Ａ）の抗体またはその抗原結合断片と、前記抗体（Ｄ）の抗体またはその抗原結合断片と、の含有比率（質量）が１：２〜２：１である、請求項７〜１０のいずれか１項に記載の免疫クロマト分析装置。
【請求項１２】
前記試料添加部に添加する試料が、チクングニアウイルス感染者の全血、血清、血漿、精液、および髄液のいずれか１である、請求項１〜１１のいずれか１項に記載の免疫クロマト分析装置。
【請求項１３】
請求項１〜１２のいずれか１項に記載の免疫クロマト分析装置と、検体を希釈して展開するための検体希釈液とを含む、免疫クロマト分析キット。
【請求項１４】
以下の工程（１）〜（４）を含む、請求項１３に記載の免疫クロマト分析キットを用いて検体に含まれるチクングニアウイルスを検出する免疫クロマト分析方法。
（１）検体希釈液により検体を希釈した検体含有液を試料添加部に添加する工程
（２）標識物質保持部に保持されている、前記（Ａ）の抗体またはその抗原結合断片により前記チクングニアウイルスを認識させる工程
（３）前記検体および前記（Ａ）の抗体またはその抗原結合断片を移動相としてクロマトグラフ媒体部に展開させる工程
（４）展開された移動相中のチクングニアウイルスを、検出部に含まれる前記（Ｂ）の抗体またはその抗原結合断片および前記（Ｃ）の抗体またはその抗原結合断片により検出する工程